(57)【特許請求の範囲】
【請求項１】
機械プレス(１)のスライド(２)内に設けた複数の過負荷吸収用油圧室(３ａ)(３ｂ)をそれぞれ過負荷防止弁(１２)へ連通させるリリーフ路(１１ａ)(１１ｂ)と、上記の各リリーフ路(１１ａ)(１１ｂ)内に直列状に配置した逆止弁(１３ａ)(１３ｂ)及び排出弁(１４ａ)(１４ｂ)とを備えており、
上記の各逆止弁(１３ａ)(１３ｂ)は、上記の複数のリリーフ路(１１ａ)(１１ｂ)の合流部分(Ａ)から上記の各油圧室(３ａ)(３ｂ)への流れを阻止可能に構成し、
上記の各排出弁(１４ａ)(１４ｂ)は、上記の各油圧室(３ａ)(３ｂ)を上記の過負荷防止弁(１２)へ連通させる通常状態と、同上の各油圧室(３ａ)(３ｂ)を排出口(Ｒ)へ連通させる排出状態とに切換え可能に構成し、
上記の各油圧室(３ａ)(３ｂ)の圧力が設定オーバロード圧力よりも低いときには、上記の過負荷防止弁(１２)が閉じ状態に保たれると共に上記の各排出弁(１４ａ)(１４ｂ)が上記の通常状態に保持されるのに対して、
上記の複数の油圧室(３ａ)(３ｂ)のうちのいずれかの油圧室(３ａ，３ｂ)の圧力が設定オーバロード圧力以上になったときには、上記の過負荷防止弁(１２)が開き作動して、そのオーバロードした油圧室(３ａ，３ｂ)内の圧油を、対応する排出弁(１４ａ，１４ｂ)の流動抵抗付与手段(７８)と前記の合流部分(Ａ)と上記の過負荷防止弁(１２)とを順に経て外部へ逃がし、その流動抵抗付与手段(７８)を通過する圧油の流動抵抗によって上記の合流部(Ａ)の圧力が低下することに基づいて上記の複数の排出弁(１４ａ)(１４ｂ)を前記の排出状態へ切り換え可能に構成した、ことを特徴とする機械プレスの過負荷防止装置。
【請求項２】
請求項１に記載した機械プレスの過負荷防止装置において、
前記の各排出弁(１４ａ)(１４ｂ)を、前記の各油圧室(３ａ)(３ｂ)へ連通された排出弁座(７１)と、その排出弁座(７１)に対して開閉移動されるバイパス部材(７３)と、そのバイパス部材(７３)を上記の排出弁座(７１)へ付勢する弾性手段(７５)と、前記の流動抵抗付与手段を構成するように上記のバイパス部材(７３)内に設けられて上記の排出弁座(７１)へ連通される絞り路(７８)と、その絞り路(７８)の出口に連通されて上記バイパス部材(７３)を閉じ側へ加圧する閉弁作動室(７７)とによって構成し、上記の排出弁座(７１)の封止断面積(Ｘ)よりも上記の閉弁作動室(７７)の加圧用断面積(Ｙ)を大きい値に設定した、ことを特徴とする機械プレスの過負荷防止装置。
【請求項３】
請求項２に記載した機械プレスの過負荷防止装置において、
前記の排出弁座(７１)の径方向の外側空間で同上の排出弁座(７１)内と前記の排出口(Ｒ)との間に、前記のバイパス部材(７３)が閉じ移動の終期に所定の長さ嵌合する嵌合壁(８０)を配置すると共に、その嵌合壁(８０)の嵌合部(８０ａ)の内側空間によって開弁保持室(８１)を構成し、
前記の閉弁作動室(７７)の加圧用断面積(Ｙ)よりも上記の開弁保持室(８１)の加圧用断面積(Ｚ)を大きい値に設定した、ことを特徴とする機械プレスの過負荷防止装置。
【請求項４】
請求項１に記載した機械プレスの過負荷防止装置において
前記の各排出弁(１４ａ)(１４ｂ)と前記の各逆止弁(１３ａ)(１３ｂ)とを、前記の各油圧室(３ａ)(３ｂ)から前記の合流部分(Ａ)へ向けて順に配置した、ことを特徴とする機械プレスの過負荷防止装置。
【請求項５】
請求項１から４のいずれかに記載した機械プレスの過負荷防止装置において、
前記の各排出弁(１４ａ)(１４ｂ)の各バイパス部材(７３)(７３)内に前記の各逆止弁(１３ａ)(１３ｂ)を装着した、ことを特徴とする機械プレスの過負荷防止装置。
【請求項６】
請求項１から５のいずれかに記載した機械プレスの過負荷防止装置において、
前記の過負荷防止弁(１２)と前記の複数の排出弁(１４ａ)(１４ｂ)と前記の複数の逆止弁(１３ａ)(１３ｂ)とを共通ブロック(３６)内に組み込んで構成した、ことを特徴とする機械プレスの過負荷防止装置。
【発明の詳細な説明】
【０００１】
【発明の属する技術分野】
この発明は、機械プレスの過負荷を防止する装置に関し、より詳しくいえば、スライドを複数の連結棒を介してクランク軸へ連結した多ポイント式機械プレスに利用される過負荷防止装置に関する。
【０００２】
【従来の技術】
この種の過負荷防止装置には、従来では、日本国・実公平６−１８７２０号公報に記載されたものがある。その従来の装置は次のように構成されている。
スライド内に二つの過負荷吸収用油圧室を形成し、各油圧室に上下移動自在に挿入した受圧部材を連結棒を介してクランク軸へ連結し、上記の油圧室へ充填した圧油によって上記の受圧部材の上端面の閉止接当部を上記の油圧室の上壁の下面に閉止させたものである。そして、プレス加工中の過負荷によって上記スライドに対して受圧部材が下降したときに、上記の閉止接当部が開いて上記の油圧室の圧油を油タンクへ逃し、これにより、上記の過負荷を吸収するようになっている。
【０００３】
【発明が解決しようとする課題】
ところで、過負荷が作用してない通常運転中に上記の閉止接当部から圧油が漏れ出すのを防止するため、その閉止接当部は精密に機械加工することが要求される。しかしながら、上記の閉止接当部は、大径の受圧部材に設けたので、ハンドリングが困難で精密加工に手間がかかる。そのうえ、機械プレスのポイント数に応じた複数の受圧部材ごとに上記の閉止接当部を形成する必要があるので、機械加工に必要な時間も長くなる。従って、従来の過負荷防止装置は製作コストが高くなる。
また、上記の従来の装置では、プレス加工時に一方の油圧室に過負荷が作用したときには、前述したように上記の一方の油圧室は即座に過負荷作動するのに対して、他方の油圧室は、リリーフ弁と複数の配管とを介して過負荷作動を行うようになっているため、その過負荷作動が遅くなる。その結果、上記の二つの油圧室の過負荷作動にタイムラグが生じてスライドが傾き、そのスライドのガイド部分や駆動系統などが損傷するおそれがある。
本発明の目的は、作動が確実で安価に造れる過負荷防止装置を提供することにある。
【０００４】
【課題を解決するための手段】
上記の目的を達成するため、請求項１の発明は、例えば、図１から図５に示すように、機械プレスの過負荷防止装置を次のように構成した。機械プレス１のスライド２内に設けた複数の過負荷吸収用油圧室３ａ・３ｂをそれぞれ過負荷防止弁１２へ連通させるリリーフ路１１ａ・１１ｂと、上記の各リリーフ路１１ａ・１１ｂ内に直列状に配置した逆止弁１３ａ・１３ｂ及び排出弁１４ａ・１４ｂとを備えており、上記の各逆止弁１３ａ・１３ｂは、上記の複数のリリーフ路１１ａ・１１ｂの合流部分Ａから上記の各油圧室３ａ・３ｂへの流れを阻止可能に構成し、上記の各排出弁１４ａ・１４ｂは、上記の各油圧室３ａ・３ｂを上記の過負荷防止弁１２へ連通させる通常状態と、同上の各油圧室３ａ・３ｂを排出口Ｒへ連通させる排出状態とに切換え可能に構成し、上記の各油圧室３ａ・３ｂの圧力が設定オーバロード圧力よりも低いときには、上記の過負荷防止弁１２が閉じ状態に保たれると共に上記の各排出弁１４ａ・１４ｂが上記の通常状態に保持されるのに対して、上記の複数の油圧室３ａ・３ｂのうちのいずれかの油圧室(３ａ，３ｂ)の圧力が設定オーバロード圧力以上になったときには、上記の過負荷防止弁１２が開き作動して、そのオーバロードした油圧室(３ａ，３ｂ)内の圧油を、対応する排出弁(１４ａ，１４ｂ)の流動抵抗付与手段７８と前記の合流部分Ａと上記の過負荷防止弁１２とを順に経て外部へ逃がし、その流動抵抗付与手段７８を通過する圧油の流動抵抗によって上記の合流部Ａの圧力が低下することに基づいて上記の複数の排出弁１４ａ・１４ｂを前記の排出状態へ切り換え可能に構成したものである。
【０００５】
上記の請求項１の発明は、例えば、上記の図１と図５(ａ)から図５(ｃ)に示すように、次のように作用する。
前記スライド２が下死点から上死点へ復帰した状態では、前記の油圧室３ａ・３ｂ内に設定充填圧力の圧油が充填されている。
上記スライド２が上死点から下死点へ下降していき、その下死点の近傍でワークをプレス加工したときには、その加工反力によって上記の油圧室３ａ・３ｂの圧力が上昇していく。
そのプレス加工時において、上記の各油圧室３ａ・３ｂに共に過負荷が作用してない状態では、図５(ａ)に示すように、圧力口Ｐａ・Ｐｂの圧力が設定オーバロード圧力よりも低い通常運転圧力Ｐ0となっており、前記の過負荷防止弁１２が閉じ状態に保持されると共に、上記の二つの排出弁１４ａ・１４ｂも閉じている。
【０００６】
上記のプレス加工時において、偏心した加工反力が上記スライド２に作用して一方の油圧室３ａおよび圧力口Ｐａが圧力上昇した場合には、その圧力上昇した圧油は、一方の逆止弁１３ａを開いて前記の合流部分Ａへ流出するが、その合流部分Ａから他方の油圧室３ｂへ流出することが他方の逆止弁１３ｂによって阻止される。また、上記の偏心加工反力によって他方の油圧室３ｂおよび圧力口Ｐｂが圧力上昇した場合には、その圧力上昇した圧油は、他方の逆止弁１３ｂを開いて上記の合流部分Ａへ流出するが、その合流部分Ａから一方の油圧室３ａへ流出することが一方の逆止弁１３ａによって阻止される。
【０００７】
上記プレス加工時において、何らかの原因で一方の油圧室３ａに過負荷が作用した場合には、図５(ｂ)に示すように、一方の圧力口Ｐａの圧力が設定オーバロード圧力以上の異常圧力Ｐ1へ上昇する。すると、その異常圧力Ｐ1によって過負荷防止弁１２が開いて、一方の圧力口Ｐａ内の圧油が排出弁１４ａの流動抵抗付与手段７８と合流部分Ａと過負荷防止弁１２とを経て外部へ排出される。すると、その流動抵抗付与手段７８を通過する圧油の流動抵抗によって上記の合流部分Ａの圧力が急速に低下するので、各圧力口Ｐａ・Ｐｂと上記の合流部分Ａとの差圧が大きくなる。
【０００８】
このため、図５(ｃ)に示すように、上記の両排出弁１４ａ・１４ｂがほぼ同時に排出状態へ切り換わって、上記の各油圧室３ａ・３ｂの圧油が、圧力口Ｐａ・Ｐｂと排出弁１４ａ・１４ｂとを経て排出口Ｒへ排出される。その結果、上記の複数の油圧室３ａ・３ｂの上下方向の収縮が許容され、前記の過負荷を吸収できるのである。
なお、プレス加工時に他方の油圧室３ｂに過負荷が作用した場合にも、上記の同様に、複数の排出弁１４ｂ・１４ａがほぼ同時に排出状態へ切換わって複数の油圧室３ｂ・３ａ内の圧油を速やかに排出して過負荷を吸収できる。
【０００９】
上記の請求項１の発明は次の効果を奏する。
上述したように、過負荷防止弁のリリーフ作動に基づいて複数の排出弁を排出状態へ切換えることによって複数の油圧室の圧油をほぼ同時に排出できるので、偏心した過負荷が作用したときにスライドが傾くのを防止できる。その結果、上記スライドのガイド部分や駆動系統などが損傷するのを防止できる。
また、上記の過負荷防止弁と排出弁とは、前述した従来装置の閉止接当部とは異なり、油圧室の圧油を速やかに排出する口径を備えるだけでよいので、小形に造ることができ、ハンドリングが容易で精密加工にも手間がかからない。このため、過負荷作動を確実かつ高精度に行える。そのうえ、上記の過負荷防止弁は、少なくとも一つだけ設ければよいので、複数の閉止接当部が必要な従来装置と比べて安価である。
従って、過負荷防止装置は、作動が確実で安価に造れる。
【００１０】
しかも、機械プレスの通常運転中に偏心荷重が作用してスライドが少し傾いたときに、前述したように、その偏心荷重で圧力上昇した高圧の油圧室から低圧の油圧室へ圧油が移動するのを逆止弁によって阻止できるので、その低圧の油圧室の圧力上昇によってスライドがさらに傾くのを防止できる。
その結果、スライドの傾きが小さくなり、そのスライドの下死点精度が向上して加工精度が高まる。
【００１１】
請求項２の発明に示すように、上記の請求項１の発明においては、例えば同上の図１から図５に示すように、次のように構成することが好ましい。
前記の各排出弁１４ａ・１４ｂを、前記の各油圧室３ａ・３ｂへ連通された排出弁座７１と、その排出弁座７１に対して開閉移動されるバイパス部材７３と、そのバイパス部材７３を上記の排出弁座７１へ付勢する弾性手段７５と、前記の流動抵抗付与手段を構成するように上記のバイパス部材７３内に設けられて上記の排出弁座７１へ連通される絞り路７８と、その絞り路７８の出口に連通されて上記バイパス部材７３を閉じ側へ加圧する閉弁作動室７７とによって構成し、上記の排出弁座７１の封止断面積Ｘよりも上記の閉弁作動室７７の加圧用断面積Ｙを大きい値に設定したものである。
【００１２】
上記の請求項２の発明は、例えば、図４および図５(ａ)から図５(ｃ)に示すように、次のように作用する。
図４および図５(ａ)に示すように、圧力口Ｐａの圧力が設定オーバロード圧力よりも低い通常運転圧力Ｐ0の状態では、排出弁１４ａの閉弁作動室７７内の圧油による閉弁用加圧力と弾性手段７５の付勢力との合力が排出弁座７１内の圧油による開弁力に打ち勝って、バイパス部材７３を上記の排出弁座７１に閉止接当させている。
【００１３】
図５(ｂ)に示すように、圧力口Ｐａの圧力が設定オーバロード圧力以上の異常圧力Ｐ1へ上昇すると、その異常圧力Ｐ1によって過負荷防止弁１２が急速に開いて、圧力口Ｐａ内の圧油がバイパス部材７３内の絞り路７８と閉弁作動室７７と上記の過負荷防止弁１２を経て外部へ排出される。これと同時に、上記の絞り路７８を通過する圧油の流動抵抗によって上記の閉弁作動室７７の圧力が急速に低下するので、その閉弁作動室７７の圧油による閉弁用加圧力と弾性手段７５の付勢力との合力よりも上記の排出弁座７１内の圧油による開弁力が大きくなる。
上記の差力によって、図５(ｃ)に示すように、上記バイパス部材７３が排出弁座７１から離間して、その排出弁座７１内の圧油が排出口Ｒへ排出される。
【００１４】
上記の請求項２の発明は次の効果を奏する。
過負荷防止弁のリリーフ作動に連動して閉弁作動室の閉弁用加圧力が低下し、これにより、排出弁座からバイパス部材が即座に離間するので、排出弁の排出状態への切換えを確実かつ速やかに行える。
また、バイパス部材内の絞り路によって流動抵抗を付与できるので、排出弁をコンパクトに造れる。
【００１５】
請求項３の発明に示すように、上記の請求項２の発明においては、例えば同上の図４に示すように、次のように構成することが好ましい。
前記の排出弁座７１の径方向の外側空間で同上の排出弁座７１内と前記の排出口Ｒとの間に、前記のバイパス部材７３が閉じ移動の終期に所定の長さ嵌合する嵌合壁８０を配置すると共に、その嵌合壁８０の嵌合部８０ａの内側空間によって開弁保持室８１を構成し、前記の閉弁作動室７７の加圧用断面積Ｙよりも上記の開弁保持室８１の加圧用断面積Ｚを大きい値に設定したものである。
【００１６】
上記の請求項３の発明は、例えば図５(ｃ)および図５(ｄ)に示すように、次のように作用する。
図５(ｃ)に示すように、バイパス部材７３が排出弁座７１から急速に離間すると、圧力口Ｐａの圧力が急速に低下するので、前記の過負荷防止弁１２が閉じていく。すると、上記の閉弁作動室７７内の圧力が排出弁座７１内の圧力に近い値まで高まって、その閉弁作動室７７の圧油の閉弁用加圧力によってバイパス部材７３が閉じ方向へ押圧されていく。
【００１７】
しかし、図５(ｄ)に示すように、上記バイパス部材７３の先端が前記の嵌合壁８０の先端に嵌合し始める直前になると、前記の開弁保持室８１の圧力が排出弁座７１内の圧力に近い値まで上昇する。このため、その開弁保持室８１内の加圧力によって上記バイパス部材７３が上記の排出弁座７１から離間した状態に保たれる。そして、上記の圧力口Ｐａの圧油は、排出弁座７１内と開弁保持室８１と上記の離間隙間とを順に経て排出口Ｒへ排出されていき、上記の圧力口Ｐａの圧力がほとんど無くなったときに前記の弾性手段７５の付勢力によって上記バイパス部材７３が排出弁座７１に閉止接当されるのである。
【００１８】
その請求項３の発明は次の効果を奏する。
上記のパイパス部材は、一旦開かれると、前記の開弁保持室の圧力によって開き側へ加圧されるので、前記の過負荷防止弁の開閉状態に左右されずに、開き状態に保たれる。このため、前記の油圧室の異常圧力をハンチングなしで円滑かつ急速に排出できる。
【００１９】
請求項４の発明に示すように、前記の請求項１の発明において、前記の各排出弁１４ａ・１４ｂと前記の各逆止弁１３ａ・１３ｂとを、前記の各油圧室３ａ・３ｂから前記の合流部分Ａへ向けて順に配置することが好ましい。
その請求項４の発明は、複数の逆止弁によって上記の合流部分を狭いスペースに区画できるので、過負荷防止弁の入口側の圧油の滞留量が少なくなり、その過負荷防止弁の作動を速やかに行える。
【００２０】
請求項５の発明に示すように、前記の請求項１から４の各発明において、前記の排出弁１４ａ・１４ｂの各バイパス部材７３・７３内に前記の各逆止弁１３ａ・１３ｂを装着することが好ましい。
上記の請求項５の発明は、排出弁と逆止弁との間に介在される圧油の滞留量が少なくなって排出弁の切換え作動が速くなるうえ、過負荷防止装置の全体をコンパクトに造れる。
【００２１】
請求項６の発明に示すように、上記の請求項１から５の各発明においては、前記の過負荷防止弁１２と前記の複数の排出弁１４ａ・１４ｂと前記の複数の逆止弁１３ａ・１３ｂとを共通ブロック３６内に組み込むことが好ましい。
その請求項６の発明は、上記の複数種類の弁の間に介在される圧油の滞留量が少なくなるので、過負荷防止弁の作動時間が短くなるうえ、排出弁の動作タイミングにタイムラグが起こらない。
【００２２】
【発明の実施の形態】
以下、本発明の一実施形態を図１から図５によって説明する。
まず、図１の全体系統図によって過負荷防止装置の概要を説明する。この実施形態では、クランク式の機械プレス１のスライド２内に左右に二つの過負荷吸収用油圧室３ａ・３ｂを形成した場合を例示してある。
【００２３】
上記の各油圧室３ａ・３ｂが圧油供給路４ａ・４ｂを経て油圧ポンプ５へ接続され、その油圧ポンプ５によって上記の油圧室３ａ・３ｂに設定充填圧力の圧油が供給される。
そして、上記の機械プレス１の連結棒６ａ・６ｂからピストン７ａ・７ｂへ伝達されたプレス力が、上記の油圧室３ａ・３ｂ内の圧油を介してワーク(図示せず)へ加えられるようになっている。
なお、前記スライド２には、カウンターバランス用の空圧シリンダ８ａ・８ｂによって所定の引き上げ力が常時作用されている。
【００２４】
上記の各油圧室３ａ・３ｂは、上記の圧油供給路４ａ・４ｂの途中部から分岐されたリリーフ路１１ａ・１１ｂを介して過負荷防止弁１２へ連通される。符号Ａは、これらリリーフ路１１ａ・１１ｂの合流部分を示している。
上記の各リリーフ路１１ａ・１１ｂには、上記の合流部分Ａから上記の各油圧室３ａ・３ｂへの流れを阻止する逆止弁１３ａ・１３ｂと、上記の各油圧室３ａ・３ｂ内の圧油を排出口Ｒへ排出する排出弁１４ａ・１４ｂとが、直列状に配置される。ここでは、前記の各油圧室３ａ・３ｂから上記の合流部分Ａへ向けて、上記の排出弁１４ａ・１４ｂと上記の逆止弁１３ａ・１３ｂとが順に配置されている。
【００２５】
何らかの原因で上記スライド２に過負荷がかかって上記の左右の油圧室３ａ・３ｂのうちの少なくとも一方の圧力が設定オーバロード圧力を越えたときには、まず、上記の過負荷防止弁１２がリリーフ作動し、そのリリーフ作動に基づいて上記の二つの排出弁１４ａ・１４ｂがほぼ同時に排出状態へ切換えられて、上記の油圧室３ａ・３ｂ内の圧油が排出口Ｒを通って油タンク１６へ排出される。これにより、前記ピストン７ａ・７ｂに作用している下降力が上記の油圧室３ａ・３ｂの圧縮作動で吸収されて上記のスライド２に伝達されなくなり、その結果、過負荷が防止されるのである。
【００２６】
また、上記の油圧室３ａ・３ｂ内の圧油は、プレス作業中にプレス力を受けて温度上昇するので、体積膨張によって微速度で圧力が上昇していく。そして、その微速上昇圧力が設定補償圧力を越えたときに、直列に接続した絞り弁１９およびリリーフ弁２０からなる圧力補償手段１８がリリーフ作動して、その微速上昇圧力だけを前記の排出口Ｒを経て前記の油タンク１６へ排出するのである。これにより、前記の過負荷防止弁１２が誤って過負荷作動するのを防止できるとともに、上記の油圧室３ａ・３ｂ内の圧力を所定範囲内に保てる。
前記の合流部分Ａと上記の排出口Ｒとの間には、上記の圧力補償手段１８に対して並列に圧抜き弁２１を設けてある。
なお、上記リリーフ弁２０の閉弁用押圧力は、バネの力を利用する場合と、圧縮空気などの圧力流体の圧力を利用する場合とが考えられる。
【００２７】
また、この実施形態では、前記の油圧ポンプ５を空油圧式のブースタポンプによって構成してある。より詳しくいえば、空圧源２３の圧縮空気によって往復移動される空圧ピストン(図示せず)とポンプ室２５内の油圧ピストン２６(いずれも図２参照)とを連結してあり、前記の油タンク１６内のオイルを上記の両ピストンの断面積比に応じて増圧して吐出するようになっている。そして、上記のポンプ室２５から吐出された圧油が、吐出弁２８ａ・２８ｂを通って前記の油圧室３ａ・３ｂへ充填されるのである。符号２９は吸入弁である。
【００２８】
なお、上記のブースタ式の油圧ポンプ５の吐出圧力の調節は、空圧供給路３１に設けた減圧弁３２によって圧縮空気の供給圧力を調節することによって行われる。
また、上記の油圧ポンプ５の設定充填圧力と前記の圧力補償手段１８の設定補償圧力と前記の過負荷防止弁１２の設定オーバロード圧力の各値は、機械プレス１の能力や用途に応じて異なるが、例えば、それぞれ、約10MPa(約100kgf/cm2)と約12MPa(約120kgf/cm2)と約23MPa(約230kgf/cm2)の値に設定される。
【００２９】
この実施形態の過負荷防止装置では、上述した各種の構成機器を一体に組み込んでユニット化してある。以下、その過負荷防止ユニット３５の具体的な構造について、上記の図１を参照しながら図２から図４によって説明する。図２は、上記ユニット３５の平面視の断面図である。図３は、上記の図２中の過負荷防止弁１２の作動説明図である。図４は、同上の図２中の排出弁１４ａおよび逆止弁１３ａの拡大図である。
【００３０】
上記ユニット３５の共通ブロック３６内に前記の過負荷防止弁１２と前記の排出弁１４ａ・１４ｂと前記の油圧ポンプ５の前記ポンプ室２５とが配置されると共に、上記の各排出弁１４ａ・１４ｂ内に前記の各逆止弁１３ａ・１３ｂが装着される。また、上記の共通ブロック３６の下面に前記の排出口Ｒが開口され、その排出口Ｒの開口縁部に前記の油タンク１６(図１参照)が固定される。上記の油圧ポンプ５の前記の吸入弁２９は、吸入孔３７を経て上記の油タンク１６へ連通されている。
【００３１】
上記の共通ブロック３６の左右の側面には接続ブロック３８ａ・３８ｂが固定され、上記の各接続ブロック３８ａ・３８ｂ内に圧力口Ｐａ・Ｐｂと検出口Ｄａ・Ｄｂとが相互に連通状に形成される。上記の各圧力口Ｐａ・Ｐｂに、前記の圧油供給路４ａ・４ｂが連通されると共に前記リリーフ路１１ａ・１１ｂが連通される。上記の二つのリリーフ路１１ａ・１１ｂの前記の合流部Ａには、上記の過負荷防止弁１２の入口と前記の圧力補償手段１８(図１参照)の入口３９とが連通される。
【００３２】
上記の過負荷防止弁１２は、主弁４１とパイロット弁４２とからなる。
上記の主弁４１は次のように構成されている。
上記の合流部分Ａへ連通する第１弁座４４に対して、支持筒４５内の第１閉止部材４６が開閉移動される。その第１閉止部材４６の筒孔内に形成した絞り路４７が上記の第１弁座４４内へ連通される。また、上記の第１閉止部材４６内にスライド筒４８が封止具４９によって保密状に挿入され、その封止具４９の封止面の内側空間によって閉弁作動室５０が形成される。
上記スライド筒４８と上記の第１閉止部材４６との間に装着した圧縮バネ５１によって、上記の第１閉止部材４６が上記の第１弁座４４へ接当されると共に、上記スライド筒４８の段部４８ａが前記の支持筒４５の縮径部へ接当される。
【００３３】
さらに、上記の第１弁座４４の周壁の外寄り部分が同上の第１弁座４４の封止面よりも突出され、その突出部分によって環状の嵌合壁５２が形成される。その嵌合壁５２に上記の第１閉止部材４６を開閉方向へ所定の長さ嵌合させてあり、その嵌合壁５２の嵌合部５２ａの内側空間によって開弁保持室５３が構成されている。そして、上記の第１弁座４４内が、上記の開弁保持室５３と上記の嵌合部５２ａの嵌合隙間とを順に経て前記の排出口Ｒへ連通可能になっている。
【００３４】
前記のパイロット弁４２は次のように構成されている。
前記スライド筒４８の先端に設けた第２弁座５４に対して、パイロット弁室５５に保密状に挿入した第２閉止部材５６が開閉移動される。外ケース５７にネジ止めした蓋ボルト５８と上記の第２閉止部材５６と間に押圧バネ５９が装着される。
また、上記の第２弁座５４の径方向の外側で前記の支持筒４５の端面が上記のパイロット弁室５５内へ突出される。その環状突出部６１の外周面に上記の第２閉止部材５６が開閉方向へ所定の長さ嵌合され、その嵌合部の内側空間によって開弁加速室６２が構成されている。
【００３５】
さらに、上記の主弁４１およびパイロット弁４２では、上述した構成部材の各封止断面積を次のように関係づけてある。図３の模式図に示すように、上記の第２弁座５４の封止直径に対応する封止断面積Ｋと、前記の第１弁座４４の封止直径に対応する封止断面積Ｌと、前記の閉弁作動室５０の封止直径に対応する加圧用断面積Ｍと、前記の嵌合部５２ａの直径に対応する前記の開弁保持室５３の加圧用断面積Ｎとを、上記の順に大きくしてある。
【００３６】
上記構成の過負荷防止弁１２の作動を、主として図２によって説明する。
上記の合流部分Ａの圧油の圧力が設定オーバロード圧力(例えば約23MPa)よりも低い圧力状態では、前記の押圧バネ５９の閉弁力が第２弁座５４内の圧油による開弁力に打ち勝って、第２閉止部材５６を上記の第２弁座５４に閉止接当させると共に、閉弁作動室５０内の圧油による閉弁力と圧縮バネ５１の閉弁力との合力が第１弁座４４内の圧油による開弁力に打ち勝って、第１閉止部材４６を上記の第１弁座４４に閉止接当させる。
【００３７】
上記の合流部分Ａの圧油が上記の設定オーバロード圧力(例えば約23MPa)以上となると、上記の第２弁座５４から上記の第２閉止部材５６が離間して、上記の合流部分Ａの圧油が前記の絞り路４７と第２弁座５４と前記の開弁加速室６２と前記の支持筒４５の連通孔４５ａとを通って排出口Ｒへ排出される。すると、その絞り路４７を通過する圧油の流動抵抗によって前記の閉弁作動室５０内の圧力が急速に低下し、その閉弁作動室５０内の圧油による閉弁力と圧縮バネ５１の閉弁力との合力よりも上記の第１弁座４４内の圧油よる開弁力が大きくなる。
【００３８】
上記の差力によって、上記の第１弁座４４から第１閉止部材４６が離間し、その第１弁座４４内の圧油が前記の開弁保持室５３を通って排出口Ｒへ急速に排出される。
その圧油の排出によって合流部分Ａ内の圧力が急速に低下するので、前記の第２弁座５４内の圧力も低下する。すると、まず、第２閉止部材５６が押圧バネ５９の押圧力によって第２弁座５４に閉止接当するので、閉弁作動室５０内の圧力が第１弁座４４内の圧力に近い値まで高まり、その閉弁作動室５０内の圧油の閉弁力によって第１閉止部材４６が閉じ方向へ押圧されていく。
【００３９】
しかし、図３の模式図に示すように、その第１閉止部材４６の先端が前記の嵌合壁５２の先端に嵌合し始める直前になると、上記の開弁保持室５３の圧力が第１弁座４４内の圧力に近い値まで上昇する。このため、その開弁保持室５３内の加圧力によって上記の第１閉止部材４６が上記の第１弁座４４から離間した状態に保たれる。
そして、前記の合流部分Ａ内の圧油は、第１弁座４４内と開弁保持室５３と上記の離間隙間とを順に経て排出口Ｒへ排出されていき、上記の合流部分Ａの圧力がほとんど無くなったときに前記の圧縮バネ５１の付勢力によって上記の第１閉止部材４６が第１弁座４４に閉止接当されるのである。
【００４０】
なお、上記の過負荷防止弁１２の作動状態は、前記の第２閉止部材５６に取り付けたアーム６４の上部の移動量をリミットスイッチ等のセンサ６５(図１参照)で検出することによって行われる。
【００４１】
前記リリーフ路１１ａ・１１ｂに設けた前記の二つの排出弁１４ａ・１４ｂと前記の二つの逆止弁１３ａ・１３ｂとは、それぞれ、同様に構成されている。このため、一方の排出弁１４ａおよび一方の逆止弁１３ａについて、図４の拡大図に基づいて具体的に説明する。
【００４２】
上記の排出弁１４ａは次のように構成されている。
前記の接続ブロック３８ａには、前記の圧力口Ｐａへ連通する排出弁座７１が設けられる。前記の共通ブロック３６の支持孔７２に筒状のバイパス部材７３が封止具７４によって保密状に挿入され、そのバイパス部材７３が弾性手段である閉じバネ７５によって上記の排出弁座７１へ付勢される。そして、上記の排出弁座７１の封止直径に対応する封止断面積Ｘよりも上記の封止具７４の封止面の内側空間に形成した閉弁作動室７７の加圧用断面積Ｙを大きい値に設定してある。上記の排出弁座７１内と上記の閉弁作動室７７とが、上記バイパス部材７３の筒孔内の絞り路７８によって連通される。その絞り路７８によって流動抵抗付与手段が構成される。
【００４３】
さらに、上記の排出弁座７１の周壁の外寄り部分が同上の排出弁座７１の封止面よりも突出され、その突出部分によって環状の嵌合壁８０が形成される。その嵌合壁８０に上記バイパス部材７３を開閉方向へ所定の長さ嵌合させてあり、その嵌合壁８０の嵌合部８０ａの内側空間によって開弁保持室８１が構成される。そして、上記の排出弁座７１内が、上記の開弁保持室８１と上記の嵌合部８０ａの嵌合隙間とを順に経て前記の排出口Ｒへ連通可能になっている。そして、前記の閉弁作動室７７の前記の加圧用断面積Ｙよりも上記の開弁保持室８１の加圧用断面積Ｚを大きい値に設定してある。
【００４４】
上記バイパス部材７３内に前記の逆止弁１３ａが装着される。即ち、上記の絞り路７８の途中部に逆止弁座８４が形成され、その逆止弁座８４にボール状の逆止部材８５が逆止バネ８６によって閉止接当される。その逆止部材８５は、二点鎖線図に示すように、全開状態では逆止弁室８７の周壁８８に嵌入可能になっている。このため、その逆止部材８５が逆止バネ８６によって上記の全開状態から閉弁移動されるときには、上記の逆止弁室８７内が負圧となって、その閉弁移動が遅延される。
【００４５】
上記の排出弁１４ａ・１４ｂおよび逆止弁１３ａ・１３ｂの作動について、前記の図１を参照しながら図５の模式図によって説明する。
前記スライド２が下死点から上死点へ復帰した状態では、前記の油圧ポンプ５によって前記の油圧室３ａ・３ｂ内に設定充填圧力(例えば約10MPa)の圧油が充填される。
【００４６】
上記スライド２が上死点から下死点へ下降していき、その下死点の近傍でワークをプレス加工したときには、その加工反力によって上記の油圧室３ａ・３ｂの圧力が上昇していく。
そのプレス加工時において、前記の各油圧室３ａ・３ｂに共に過負荷が作用してない状態では、図５(ａ)に示すように、圧力口Ｐａ・Ｐｂの圧力が設定オーバロード圧力(例えば約23MPa)よりも低い通常運転圧力Ｐ0(例えば約15MPa程度)となっており、前記の過負荷防止弁１２が閉じ状態に保持されると共に、上記の二つの排出弁１４ａ・１４ｂも閉じている。より詳しくいえば、各排出弁１４ａ・１４ｂの閉弁作動室７７内の圧油による閉弁力と閉じバネ７５の閉弁力との合力が排出弁座７１内の圧油による開弁力に打ち勝って、バイパス部材７３を上記の排出弁座７１に閉止接当させている。
【００４７】
上記のプレス加工時において、偏心した加工反力が上記スライド２に作用して一方の油圧室３ａ内が圧力上昇すると、その圧力上昇した圧油は一方の逆止弁１３ａを開いて前記の合流部分Ａへ流出するが、その合流部分Ａから他方の油圧室３ｂへ流出することは他方の逆止弁１３ｂによって阻止される。このように、偏心荷重で圧力上昇した一方の油圧室３ａから他方の油圧室３ｂへ圧油が移動するのを他方の逆止弁１３ｂによって阻止できるので、その圧油移動に伴ってスライド２が傾くのを防止できる。
なお、上記の各油圧室３ａ・３ｂの圧力は、前記の検出口Ｄａ・Ｄｂへ接続した圧力センサ９０ａ・９０ｂ(図１参照)によって個別に検出できるようになっている。
【００４８】
上記スライド２がプレス加工を終えて上死点へ上昇していくと、上記の一方の油圧室３ａは圧縮が解除されて圧力が低下していく。すると、上記の一方の逆止弁１３ａの閉弁移動が前述の遅延作用によって緩やかに行われるので、その一方の逆止弁１３ａの開いている時間が長くなる。このため、上記の合流部分Ａ内の圧油が上記の一方の油圧室３ａへ移動して、その一方の油圧室３ａを前記の設定充填圧力へ速やかに復帰させる。
【００４９】
また、スライド２に作用する偏心加工反力によって他方の油圧室３ｂが圧力上昇した場合でも、その他方の油圧室３ｂから一方の油圧室３ａへ圧油が移動するのを一方の逆止弁１３ａによって阻止できるので、その圧油移動に伴ってスライド２が傾くのを防止できる。また、スライド２の上死点への復帰時においても、他方の逆止弁１３ｂの遅延動作により、上記の合流部分Ａ内の圧油が上記の他方の油圧室３ｂへ移動して、上記の他方の油圧室３ｂを前記の設定充填圧力へ速やかに復帰させる。
なお、各逆止弁１３ａ・１３ｂの上記の遅延動作を十分に確保できない等の原因によって上記の合流部分Ａの圧力が異常上昇した場合には、前記の圧力補償手段１８が作動して上記の合流部分Ａの圧力を設定補償圧力(例えば、12MPa)以下へ低下させるので、前記の過負荷防止弁１２が誤動作するのを防止できる。
【００５０】
下死点の近傍における前記プレス加工時において、一方の油圧室３ａに過負荷が作用した場合には、図５(ｂ)に示すように、圧力口Ｐａの圧力が設定オーバロード圧力(例えば約23MPa)以上の異常圧力Ｐ1へ上昇する。すると、その異常圧力Ｐ1によって前述したように過負荷防止弁１２が急速に開いて、その圧力口Ｐａ内の圧油が、バイパス部材７３内の絞り路７８と閉弁作動室７７と一方の逆止弁１３ａと上記の過負荷防止弁１２とを経て前記の油タンク１６(図１参照)へ排出される。これと同時に、上記の絞り路７８を通過する圧油の流動抵抗によって前記の合流部分Ａの圧力が、0.05MPaから0.2MPa程度の圧力へ急速に低下するので、上記の各排出弁１４ａ・１４ｂの各閉弁作動室７７・７７内の圧油による閉弁力と閉じバネ７５・７５の閉弁力との合力よりも上記の排出弁座７１・７１内の圧油による開弁力が大きくなる。
【００５１】
上記の差力によって、図５(ｃ)に示すように、上記の各排出弁１４ａ・１４ｂがほぼ同時に排出状態へ切換わる。即ち、上記の差力によって上記の各バイパス部材７３・７３が各排出弁座７１・７１から離間して、その排出弁座７１・７１内の圧油が前記の開弁保持室８１・８１と排出口Ｒとを通って油タンク１６(図１参照)へ急速に排出される。これと同時に、上記の合流部分Ａの圧力がさらに低下して前記の過負荷防止弁１２が閉じるので、上記の排出弁１４ａ・１４ｂの各閉弁作動室７７・７７内の圧力が各排出弁座７１・７１内の圧力に近い値まで高まって、その閉弁作動室７７・７７内の圧油の閉弁力によって各バイパス部材７３・７３が閉じ方向へ押圧されていく。
【００５２】
しかし、図５(ｄ)に示すように、各バイパス部材７３・７３の先端が前記の嵌合壁８０・８０の先端に嵌合し始める直前になると、上記の開弁保持室８１・８１の圧力が排出弁座７１・７１内の圧力に近い値まで上昇する。このため、その開弁保持室８１・８１内の加圧力によって上記のバイパス部材７３・７３が上記の排出弁座７１・７１から離間した状態に保たれる。
そして、前記の各油圧室３ａ・３ｂ内の圧油は、上記の圧力口Ｐａ・Ｐｂと、各排出弁１４ａ・１４ｂの排出弁座７１・７１内と開弁保持室８１・８１と上記の離間隙間とを順に経て排出口Ｒへ排出されていき、上記の圧力口Ｐａ・Ｐｂの圧力がほとんど無くなったときに前記の閉じバネ７５・７５の付勢力によって上記の各バイパス部材７３・７３が各排出弁座７１・７１に閉止接当されるのである。
【００５３】
なお、プレス加工時に他方の油圧室３ｂに過負荷が作用した場合にも、上記の同様に、二つの排出弁１４ｂ・１４ａがほぼ同時に排出状態へ切換わって二つの油圧室３ｂ・３ａ内の圧油を油タンク１６へ速やかに排出する。
上記の過負荷作動時には、前記の過負荷防止弁１２のパイロット弁４２がリリーフ作動したことを前記のアーム６４(図２参照)を介して前記センサ６５(図１参照)が検出し、その検出信号に基づいて、機械プレス１を非常停止させると共に油圧ポンプ５の運転を停止させる。そして、前記スライド１の上死点復帰信号等に基づいて上記の油圧ポンプ５の運転を再開して、上記の各油圧室３ａ・３ｂへ圧油を充填するのである。
【００５４】
上記の実施形態は次の長所を奏する。
前記の過負荷防止弁１２の第１閉止部材４６は、一旦開くと、開弁保持室５３の加圧力によって開き状態に保持される。このため、その過負荷防止弁１２のハンチングを防止して前記の合流部分Ａに異常な圧力脈動が生じるのを抑制でき、前記の排出弁１４ａ・１４ｂを確実に開き状態に保持できる。
上記の機械プレス１の連結棒６ａ・６ｂが下死点でスティック状態(固定されて動けなくなった状態)となったときには、図１中の前記の圧抜き弁２１を開けばよい。すると、前記の各油圧室３ａ・３ｂ内の圧油が、排出弁１４ａ・１４ｂと逆止弁１３ａ・１３ｂと上記の圧抜き弁２１と排出口Ｒとを経て油タンク１６へ排出され、次いで、上記の排出弁１４ａ・１４ｂが開いて上記の油圧室３ａ・３ｂ内の圧油が直接に油タンク１６へ排出される。これにより、前記の空圧シリンダ８ａ・８ｂによって、前記ピストン７ａ・７ｂに対して前記のスライド２が上昇され、上記のスティック状態が解除される。
【００５５】
上記の実施形態は次のように変更可能である。
前記の排出弁１４ａ・１４ｂにおいて、弾性手段は、例示した閉じバネ７５に代えて、ゴム等の弾性体を利用可能である。
また、前記の嵌合壁８０は、前記のバイパス部材７３が閉じ移動の終期に嵌合するものであればよい。従って、その嵌合壁８０の端面を前記の排出弁座７１の封止面よりも突出させることに代えて、上記バイパス部材７３の先端面の外周部分を中央部分よりも突出させてもよい。また、上記のバイパス部材７３は、上記の嵌合壁８０に内嵌することに代えて外嵌させてもよい。
さらに、上記の各排出弁１４ａ・１４ｂの流動抵抗付与手段は、例示した絞り路７８に代えて、オリフィスや細いパイプ等の他の手段であっても差し支えないことは勿論である。
【００５６】
前記の逆止弁１３ａ・１３ｂは、上記の排出弁１４ａ・１４ｂに内蔵することに代えて、その排出弁１４ａ・１４ｂの入口の外側または出口の外側に配置したものであってもよい。また、上記の各逆止弁１３ａ・１３ｂにおいて、前述した閉弁移動時の遅延動作は、例示した構造に限定されるものではなく、例えば、逆止部材を閉弁移動の終期に逆止弁室の周壁に嵌合させるものであってもよい。
前記の過負荷防止弁１２と上記の逆止弁１３ａ・１３ｂと上記の排出弁１４ａ・１４ｂと圧力補償手段１８と油圧ポンプ５と油タンク１６とは、これら全ての機器をユニット化することに代えて、少なくとも二つの機器をユニット化したものであってもよく、さらには、全ての機器を独立部品によって構成して配管で相互に接続したものであってもよい。
【００５７】
前記の圧力補償手段１８は、上記の合流部Ａに連通させることに代えて、各リリーフ路１１ａ・１１ｂ又は圧油供給路４ａ・４ｂごとに設けてもよい。
前記の過負荷防止弁１２は、上記の複数のリリーフ路１１ａ・１１ｂの合流部Ａに連通しておればよく、例示した１台に代えて、複数台であっても差し支えない。
【００５８】
上記の過負荷防止弁１２のパイロット弁４２の閉弁力は、押圧バネ５９を利用するものに代えて、圧縮空気等の圧力流体を利用してもよい。この場合、機械プレス１が下死点でスティック状態となったときには、上記の閉弁用の圧力流体を排出することにより、上記パイロット弁４２が入口側の圧油によって開弁するので、その開弁と同時に前記の複数の排出弁１４ａ・１４ｂが開いて複数の油圧室３ａ・３ｂの圧油を排出できるのである。このとき、前述した空圧シリンダ８ａ・８ｂによって前記スライド２が上昇されて油圧室３ａ・３ｂ内に所定の最小圧力を確保できるので、その最小圧力によって上記の排出弁１４ａ・１４ｂを開き状態に保持できる。
上記の過負荷防止弁１２は、例示したパイロット式のものに代えて、種々の変形例を利用可能である。
【００５９】
前記のスライド２内の過負荷吸収用油圧室３ａ・３ｂの設置数量は、例示した二つに代えて、三つ又は四つ以上であってもよい。例えば、その油圧室を四つ設置した場合には、それに対応させて、上記の排出弁および逆止弁が四つずつ設置されることになる。
また、前記の油圧ポンプ５は、例示したブースタ式のものに代えて、プランジャポンプ等を電動機によって駆動するものであってもよい。
【図面の簡単な説明】
【図１】本発明の一実施形態を示し、過負荷防止装置の全体系統図である。
【図２】上記装置の主要な構成要素を一体に組み込んだ過負荷防止ユニットの平面視の断面図である。
【図３】上記の図２中の過負荷防止弁の閉弁途中の状態を示す模式図である。
【図４】同上の図２中の排出弁および逆止弁を示す要部拡大図である。
【図５】上記の排出弁の作動説明用の模式図である。図５(ａ)は、二つの排出弁の閉止状態を示している。図５(ｂ)は、一方の排出弁の開弁開始状態を示している。図５(ｃ)は、上記の二つの排出弁の全開状態を示している。図５(ｄ)は、同上の二つの排出弁の閉弁途中の状態を示している。
【符号の説明】
１…機械プレス、２…スライド、３ａ・３ｂ…油圧室、１１ａ・１１ｂ…リリーフ路、１２…過負荷防止弁、１３ａ・１３ｂ…逆止弁、１４ａ・１４ｂ…排出弁、３６…共通ブロック、７１…排出弁座、７３…バイパス部材、７５…弾性手段(閉じバネ)、７７…閉弁作動室、７８…流動抵抗付与手段(絞り路)、８０…嵌合壁、８０ａ…嵌合部、８１…開弁保持室、Ａ…合流部分、Ｒ…排出口、Ｘ…排出弁座７１の封止断面積、Ｙ…閉弁作動室７７の加圧用断面積、Ｚ…開弁保持室８１の加圧用断面積。
【図１】
0004094165.tif 000002
【図２】
0004094165.tif 000003
【図３】
0004094165.tif 000004
【図４】
0004094165.tif 000005
【図５】
0004094165.tif 000006